(57)【要約】      （修正有）【課題】メモを書いた日要素部を剥がして持ち出し用のメモノートとして利用できるようにした多機能式カレンダー構造を提供する。【解決手段】剥離部を有する上方層１１と、該上方層を積層接合する台紙からなる下方層１２とから構成されるカレンダー１０であって、前記上方層には週要素部１１１，日要素部１１２，月要素部１１３が表面に印刷表示されていて、下欄部分には、複数個の空白要素部１１４が連続して設けられ、前記日要素部及び空白要素部には、上部及び底部切り取り連結線１１５と、左，右切断部１１６，１１６’が設けられ剥離自在となっていると共に、前記各々の日要素部及び複数の空白要素部の空白欄へ日常のスケジュールやメモが書き込んだ後に上方層を剥離しても、下方層の対応する日要素部にも元のメモが複写されて残るようにし、剥がしたメモノートの裏側に接着剤部１１８を備えた構成とした。【選択図】図１
0003111575.tif 000002
【実用新案登録請求の範囲】
【請求項１】
剥離部を有する上方層と、該上方層を積層接合する台紙からなる下方層によって構成されるカレンダー構造であって、
前記上方層には週要素部，日要素部，月要素部がそれぞれ表面に印刷表示されていて、下欄部分にはスケジュール或いは忘備記録用の複数個の空白要素部が連続して設けられており、前記日要素部及び空白要素部にはそれぞれメモ領域が設けられ、かつ上部及び底部切り取り連結線と、左，右切断部が設けられた剥離自在となっていると共に、前記上方層の日要素部および空白要素部と一致する位置に対応して同様の日要素部および空白要素部が下方層にも形成されており、前記各々の日要素部及び複数の空白要素部の空白欄には日常のスケジュールやメモが書き込めるようになっており、かつ前記上方層の日要素部および空白要素部を剥離した後でも、前記下方層の対応する日要素部にも、上方層に記載したメモが複写されて残るようにし、剥がしたメモノートの裏側に接着剤部を備えた構成としたことを特徴とする多機能式カレンダー構造。
【請求項２】
前記各々の日要素部はほぼ矩形状に形成されていると共に、前記矩形状の各角隅部は湾曲形成されていることを特徴とする請求項１記載の多機能式カレンダー構造。
【考案の詳細な説明】
【技術分野】
【０００１】
本考案は、多機能式カレンダー構造に関し、更に具体的に言うと、月毎或いは１年間分を記載したカレンダー表面に剥離部を有する上方層と、該上方層を積層接合する台紙からなる下方層を備え、前記上方層にはメモ領域を備えた「日」要素部（day element）が印刷されており、メモを書いた日要素部を下方層（台紙）から剥がして持ち出し用のメモノートとして利用できるようにした多機能式カレンダー構造に関する。
【背景技術】
【０００２】
現在市場に出回っているカレンダーは、通常、１枚の紙に直接、日，週，月要素部が印刷されていて、実際の使用においては、日要素部の横或いは下の余白に日常のスケジュールやメモなどを直接書き込んだりするが、外出するに際しては、外に携帯する別のメモ帳にこれらの情報を再度書き写さねばならず、一度書き込んだら変えられないばかりか、使用するのにまことに不便である。
【考案の開示】
【考案が解決しようとする課題】
【０００３】
従って、本考案の第一の目的は、多機能式カレンダーであって、上方層及び下方層からなる積層したカレンダーにおいて、上方層の日要素部には、上部及び底部切取り線、並びに、左，右切欠き領域がそれぞれ形成されており、メモが書き込まれた上方層の日要素部を下方層(台紙)から簡単に切り離して、例えば外出などして別の場所へ持っていくためのメモノートとして使えるようにして、別のメモ帳に再度書き直す必要をなくし、これにより一層便利で使いやすいカレンダー構造を提供することである。
また、本考案の第二の目的は、多機能式カレンダーであって、日常のスケジュールなどのメモが書き込まれた上方層の日要素部が、上部及び底部切取り連結線と左，右切欠き領域とを介して下方層から剥ぎ取られて上方層部分より切り取られた後にあっても、先に書き込まれていたスケジュールなどのメモの写しが、下方層(台紙)の対応する日要素部位置に残るようにして、他の人に先のメモの内容が判るようにした、多機能式カレンダー構造を提供することである。
更にまた、本考案の第三の目的は、多機能式カレンダーであって、切り離した日要素部の裏側に塗った接着剤部分を介して、手に持っているメモを車や職場の見やすい場所に簡単に貼りつけることができるようにし、これにより、実際に使用するのに非常に効果的な多機能式カレンダー構造を提供することができる。
【課題を解決するための手段】
【０００４】
本考案の多機能式カレンダー構造は、剥離部を有する上方層と、該上方層を積層接合する台紙からなる下方層とから構成されるカレンダー構造であって、前記上方層には週要素部，日要素部，月要素部がそれぞれ表面に印刷表示されていて、下欄部分にはスケジュール或いは忘備記録用の複数個の空白要素部が連続して設けられており、前記日要素部及び空白要素部にはそれぞれメモ領域が設けられ、かつ上部及び底部切り取り連結線と、左，右切断部が設けられ剥離自在となっていると共に、前記上方層の日要素部および空白要素部と一致する位置に対応して同様の日要素部および空白要素部が下方層にも形成されており、前記各々の日要素部及び複数の空白要素部の空白欄には日常のスケジュールやメモが書き込めるようになっており、かつ前記上方層の日要素部および空白要素部を剥離した後でも、前記下方層の対応する日要素部にも、元のメモのコピーが複写されて残るようにし、剥がしたメモノートの裏側に接着剤部を備えた構成としたことを特徴とする。
【考案の効果】
【０００５】
本考案の多機能式カレンダー構造では、必要なメモや日常のスケジュールなどを書き込んだカレンダー日要素部を簡単に剥ぎ取ることができるようになっているので、外出時に簡単に剥ぎ取って持ち出し、メモの内容を忘れないようにメモノートとして利用することができる。
また、日常のスケジュールやメモを書いたメモの内容が下方層の対応する日要素部にそっくりコピーして残るようになっているので、メモを剥がし取って外出時に持ち出してしまっても、他の人達がメモの内容を確認できるようにした、多機能式カレンダーを効果的に提供することができる。
【考案を実施するための最良の形態】
【０００６】
以下、添付図面を参照して本考案の好適な実施の形態を詳細に説明する。
【実施例】
【０００７】
第１図には、本考案にかかる多機能式カレンダー構造に実施例を示す月毎（１月）のカレンダーの全体斜視図を示すものであって、剥離部を有する上方層１１と、該上方層１１を積層接合する台紙からなる下方層１２とから構成されるカレンダー１０が示されている。
【０００８】
前記上方層１１には週要素部１１１，日要素部１１２，月要素部１１３がそれぞれ表面に印刷表示されていて、下欄部分には重要な出来事や、その月の好ましい行事、或いは禁止事項などのスケジュールを忘備記録しておくために、複数個の空白要素部１１４が連続して設けられている。
【０００９】
そして、１日〜３１日までの前記日要素部１１２及び複数の空白要素部１１４部分は後述するように下方層１２より剥離されると共に、上方層より分離して取り除くことができるようになっている。
【００１０】
第２図は、カレンダーの日要素部１１２の要部の拡大図で、各々の日要素部１１２及び空白要素部１１４(図１参照)は、それぞれ長方形或いは正方形等の矩形状に形成されており、矩形状の周囲はほぼ切断されており、上部及び底部の一部にそれぞれ切り取り連結線１１５が形成されている。また、上部及び底部切り取り連結線１１５に隣接する切断各角隅部は湾曲形成された左，右切断部１１６，１１６’が形成されていていると共に、左切断部１１６の下方部には、斜めに切欠かれた剥離開始部となる開口部１１７が設けられている。
【００１１】
各日要素部１１２および空白要素部１１４には、接着剤１１８が、カレンダーの裏側面の縁及び左、右切断部１１６，１１６’間内に限定されて適切に塗布されている。
台紙となる下方層１２にも、図４に示すように、上方層１１の日要素部１１２および空白要素１１４に正確に一致する位置に対応して、同様の日要素部１２１および空白要素部が配設されている。
前記構成の月毎のカレンダーは１月から１２月まで同様の構成で形成されるものである。
【００１２】
以上のように構成されたカレンダーについて、図３〜図５を参照して使用状態を説明する。
実際に使用する場合には、図３に示すように、日常のスケジュールやメモＡを、左，右切断部１１６，１１６’および、上部，底部切取り連結線１１５と連続する切断部によって限定された矩形状の上方層１１の日要素部１１２メモ領域となる空白欄に書き込む。
また、上方層１１に書き込まれて記録されたメモＡは、下方層１２に配置された、対応する日要素部１２１の欄にも複写されるようになっている。
【００１３】
そして、斜めに切欠かれた開口部１１７を左切断部１１６に沿って摘み上げて剥がしてゆき、（図４に示すように）右切断部１１６’に到達するまで上部及び底部切取り連結線１１５に沿って、メモの書かれた日要素部１１２をめくり、上方層１１から日要素部１１２を完全に切り離すと、外出時のメモ書きとなって、外出する際にメモＡを別のメモ帳に書き写さなくても簡単に持運び利用することができるようになる。
【００１４】
更に、図５に示すように、上方層１１に書き込まれて記録されたメモＡを剥がして取り除いた後でも、他の人達がその内容を確認参照できるようにするために、下方層１２の対応する日要素部１２１に、メモＡのコピーが複写されて残るようになっている。
【００１５】
さらにまた、カレンダーから剥がした日要素部１２１であったメモノート２０は、うっかり忘れることのないように、その裏にある接着剤部１１８を介して、車の中や事務所の見やすい箇所に簡単に貼りつけることができるので、これにより、効果的な多機能式カレンダー構造を提供することができるものである。
【００１６】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００１７】
【図１】本考案の多機能式カレンダー構造の一実施例を示す要部斜視図。
【図２】本考案の多機能式カレンダー構造の要部拡大斜視図。
【図３】本考案の多機能式カレンダー構造における使用状態を示すカレンダーの日要素部に記録したメモを示す要部斜視図。
【図４】本考案の多機能式カレンダー構造における使用状態を示し、カレンダー表面からメモを剥がす作業をして状態を示す要部斜視図。
【図５】本考案のカレンダーの日要素部が剥がされ取り外され、メモノートとして機能するようになるのを示す要部斜視図。
【符号の説明】
【００１８】
１０        カレンダー
１１        上方層
１１１      週要素
１１２      日要素部
１１３      月要素部
１１４      空白要素部
１１５      上部及び底部切り取り連結線
１１６      左切断部
１１６’    右切断部
１１７      斜めに切欠かれた開口部
１２        下方層
１２１      日要素部
Ａ          メモ
【図１】
0003111575.tif 000003
【図２】
0003111575.tif 000004
【図３】
0003111575.tif 000005
【図４】
0003111575.tif 000006
【図５】
0003111575.tif 000007